(57)【要約】【課題】舌苔除去具をはじめとする各種口腔ケア用具を歯ブラシまたは電動式歯ブラシに格納設置することにより、コンパクトで携帯に便利となる歯ブラシを得る。【解決方法】歯ブラシの柄部の後端部または一部位に溝状の格納ボックスを形成するとともに、口腔ケア用具を当該格納ボックス内に着脱または回転若しくは擢動可能に具備することができるように形成して構成する。【選択図】図１
2016041233.tif 000002
【特許請求の範囲】
【請求項１】
歯ブラシの柄部の後端部に溝状の格納ボックスを形成するとともに、口腔ケア用具を当該格納ボックス内に着脱又は回動若しくは摺動可能に具備することができるように形成して構成することを特徴とした、格納ボックス付き歯ブラシ。
【発明の詳細な説明】
【技術分野】
【０００１】  本発明は、舌の表面に付着した舌苔を安全且つ容易に除去することができる舌苔除去具をはじめとする各種口腔ケア用具を格納することができる歯ブラシに関するものである。
【背景技術】
【０００２】  人間の舌の表面には上皮細胞やリンパ球又は食物の残りかすなどによって白色や褐色の皮膜が生じることがあり、該皮膜を舌苔と称している。【０００３】  上記舌苔をそのままにしておくと、味覚が消失したり口臭や虫歯の原因となるため、該舌苔を除去するための舌苔除去具が市販されている。本願出願人においても、実用新案登録第３１８２９０２号公報の考案の名称『舌苔除去具付き歯ブラシ』により、舌苔除去具を歯ブラシ上部のブラシを植毛した台座部の背面又は歯ブラシ下部の柄部の側面の何れか一箇所に具備して構成した苔除去具付き歯ブラシを提案した。【０００４】
【特許文献１】実用新案登録第３１８２９０２号
【発明の開示】
【発明が解決しようとする課題】
【０００５】  しかしながら、上記舌苔除去具を用いて舌苔を取る場合、該舌苔除去具を歯ブラシ上部のブラシを植毛した台座部の背面に配設した場合には当該ブラシが上顎などに当たって不快を感じることがあり、歯ブラシ下部の柄部の側面の何れか一箇所に配設した場合には不衛生になるなどの問題が生じた。【０００６】  また、舌苔除去具を使用しない人にとっては当該舌苔除去具自体が不要のものとなってしまい、このような人にとっては舌苔除去具に代えて糸ようじや歯間ブラシ又は歯磨きチューブなどの方に利便性が求められる。さらには旅行や出張等の際において、前記舌苔除去具をはじめとする各種口腔ケア用具が一体化された歯ブラシであればコンパクトで携帯に便利であり、このような商品の開発が求められていた。【０００７】  本発明は、上記問題点や要望を解決するために成されたものであり、舌苔除去具をはじめとする各種口腔ケア用具を歯ブラシに格納することにより、コンパクトで携帯に便利となる歯ブラシを提供することを目的とする。
【課題を解決するための手段】
【０００８】  上記課題を解決するため本発明の格納ボックス付き歯ブラシにおいては、歯ブラシの柄部の後端部に溝状の格納ボックスを形成するとともに、口腔ケア用具を当該格納ボックス内に着脱又は回動若しくは摺動可能に具備することができるように形成して構成する。
【発明の効果】
【０００９】  本発明によれば、舌苔除去具を具備した格納ボックス付き歯ブラシを使用することにより、歯磨きを行った後に当該歯ブラシの格納ボックスより舌苔除去具を取り出して舌苔を取ることができる。また、糸ようじや歯間ブラシを具備した格納ボックス付き歯ブラシを使用することにより、歯磨きを行った後に当該歯ブラシの格納ボックスより糸ようじや歯間ブラシを取り出して食物の残りかすを取ることができる。また、歯磨きチューブを具備した格納ボックス付き歯ブラシを使用することにより、歯磨きを行う前に当該歯ブラシの格納ボックスより歯磨きチューブを取り出してブラシに歯磨き粉を塗ることができる。このため、口腔ケア用具を別に用意する必要もなくコンパクトで携帯に便利となり、旅行や出張等の際には当該格納ボックス付き歯ブラシ１本で気持ちよく歯磨きや口腔ケアを行うことができる。
【発明を実施するための最良の形態】
【００１０】  本発明を実施するための最良の形態を図を用いて説明する。図１は本発明の格納ボックス付き歯ブラシの第一実施例の外形図であり、（ａ）は正面図，（ｂ）は側面図，（ｃ）は舌苔除去具を取り出した状態図である。【００１１】  該図にあっては、歯ブラシ１の柄部３の後端部の正面側に溝を削成して格納ボックス４を形成し、該格納ボックス４内に着脱可能に形成した舌苔除去具５を保持して格納ボックス付き歯ブラシを構成する。該舌苔除去具５は、柄部６の先端部にスキージ部７を形成して構成し、従来の舌苔除去具に比べ小型且つ簡易形状となるものの、機能的には目的を果たすことができるものである。なお、該舌苔除去具５の保持方法は、格納ボックス４内に凸状の保持部（図示せず）を設けるなど既存の方法で行い、使用時には当該格納ボックス４より舌苔除去具５を取り出して使用する。【００１２】  図２は本発明の格納ボックス付き歯ブラシの第二実施例の外形図であり、（ａ）は正面図，（ｂ）は側面図，（ｃ）は舌苔除去具を引き倒した状態図である。【００１３】  該図にあっては、歯ブラシ１の柄部３の後端部の正面側に溝を削成して格納ボックス４を形成し、該格納ボックス４内に軸８にて回動可能に形成した舌苔除去具５を保持して格納ボックス付き歯ブラシを構成する。該舌苔除去具５は、柄部６の先端部にスキージ部７を形成して構成し、従来の舌苔除去具に比べ小型且つ簡易形状となるものの、機能的には目的を果たすことができるものである。なお、該舌苔除去具５の保持方法は、格納ボックス４内に凸状の保持部（図示せず）を設けるなど既存の方法で行い、使用時には当該格納ボックス４より舌苔除去具５を引き倒して使用する。【００１４】  上記例以外の方法として、例えば歯ブラシ１の柄部３の後端部の正面側に溝を削成して収納ボックスを形成し、該収納ボックス内を摺動可能に形成した舌苔除去具を保持して格納ボックス付き歯ブラシを構成するようにしても構わない。なお、収納ボックスの形成箇所も柄部３の後端部の正面側以外に背面側や側面側などに形成しても構わない。【００１５】  なお上述の説明においては、格納ボックス４内に保持する口腔ケア用具として舌苔除去具５を例として説明したが、糸ようじや歯間ブラシなど他の口腔ケア用具も同様の方法で具備することができる。【００１６】  次に図３は本発明の格納ボックス付き歯ブラシの第三実施例の外形図であり、（ａ）は正面図，（ｂ）は側面図，（ｃ）は歯磨きチューブを取り出した状態図である。【００１７】  該図にあっては、歯ブラシ１の柄部３の後端部の正面側に溝を削成して格納ボックス４を形成し、該格納ボックス４内に着脱可能に形成した歯磨きチューブ９を保持して格納ボックス付き歯ブラシを構成する。該歯磨きチューブ９は、旅行や出張などで数日間使用する分量の歯磨き粉が充填されている。なお、該歯磨きチューブ９の保持方法は、格納ボックス４内に凸状の保持部（図示せず）を設けるなど既存の方法で行い、使用時には当該格納ボックス４より歯磨きチューブ９を取り出して使用する。
【図面の簡単な説明】
【００１８】
【図１】本発明の格納ボックス付き歯ブラシの第一実施例の外形図である。
【図２】本発明の格納ボックス付き歯ブラシの第二実施例の外形図である。
【図３】本発明の格納ボックス付き歯ブラシの第三実施例の外形図である。
【符号の説明】
【００１９】１  歯ブラシ
２  ブラシ
３  柄部
４  格納ボックス
５  舌苔除去具
６  柄部
７  スキージ部
８  軸
９  歯磨きチューブ
【図１】
2016041233.tif 000003
【図２】
2016041233.tif 000004
【図３】
2016041233.tif 000005